(57)【特許請求の範囲】
【請求項１】
第１のビデオタイトルセットにＳＤ（Standard Definition）コンテンツが記録され、第２のビデオタイトルセットにＨＤ（High Definition）コンテンツが記録され、ビデオ管理情報であるプログラムチェーン・コマンドテーブル（ＰＧＣ＿ＣＭＤＴ）にプリコマンド（ＰＲＥ＿ＣＭＤ）とポストコマンド（ＰＯＳＴ＿ＣＭＤ）とが記録されている光ディスクを回転する回転部と、
前記光ディスクにレーザ光を照射し反射光に応じて情報を読み取る読取部と、
プレーヤを制御するためのビデオプレーヤ制御情報（Ｐ＿ＣＦＧ）が第１の値のとき前記ＳＤコンテンツ再生を示し、第２の値のとき前記ＨＤコンテンツ再生を示すプレーヤパラメータを記憶領域に格納する設定部と、
前記設定部のプレーヤ構成情報を参照して、この値が第１の値の場合、前記プリコマンド又はポストコマンドに応じて、前記ＳＤコンテンツが含まれる第１のビデオタイトルセットへジャンプコマンドを実行し、前記プレーヤ構成情報が第２の値の場合、前記プリコマンド又はポストコマンドに応じて、前記ＨＤコンテンツが含まれる第２のビデオタイトルセットへジャンプコマンドを実行するべく前記読取部を制御する動作制御部と、
前記動作制御部に応じて読み取った前記読取部からの情報について、ＳＤコンテンツかＨＤコンテンツかを識別して分離する分離部と、
前記分離部により分離された前記ＳＤコンテンツ又は前記ＨＤコンテンツをデコードして出力するデコーダ部とを具備する光ディスク装置。
【請求項２】
第１のビデオタイトルセットにＳＤ（Standard Definition）コンテンツが記録され、第２のビデオタイトルセットにＨＤ（High Definition）コンテンツが記録され、ビデオ管理情報であるプログラムチェーン・コマンドテーブル（ＰＧＣ＿ＣＭＤＴ）にプリコマンド（ＰＲＥ＿ＣＭＤ）とポストコマンド（ＰＯＳＴ＿ＣＭＤ）とが記録されていることを特徴とする光ディスク。
【発明の詳細な説明】
【０００１】
【発明の属する技術分野】
この発明は、ＤＶＤ（Digital Versatile Disk）等の光ディスク及びこの光ディスクの情報を再生する光ディスク装置に関し、特に、ＨＤ（High Definition）コンテンツとＳＤ（Standard Definition）コンテンツの二種類のビデオオブジェクトを記録している光ディスクと光ディスク装置に関する。
【０００２】
【従来の技術】
最近、ＤＶＤフォーラムから情報記録媒体に記録された映像・音声情報を再生する規格として、『ＤＶＤ Specifications for Read-Only Disc Part ３: VIDEO SPECIFICATIONS』が１９９６年８月に発行された。この規格では、実際の映像・音声データが記録されたプレゼンテーション・データとこれを管理するためのナビゲーション・データにより構成される。プレゼンテーション・データはビデオデータ、オーディオデータ、サブピクチャデータが、ＭＰＥＧ２で定められたプログラムストリーム（２０４８bytes）の仕様に沿って多重化されている。又、ナビゲーション・データには、再生する映像・音声データの時間構成や順序を設定するＰＧＣとセルが記述されており、マルチアングル、マルチストーリー、パレンタルといった機能を実現している。
【０００３】
しかしながら、これらの従来技術においては、ＳＤ（Standard Definition）の映像コンテンツ（以下、ＳＤコンテンツ）をディスクに記録することはできるが、ＨＤ（High Definition）の映像コンテンツ（以下、ＨＤコンテンツ）を記録することはできない。ここで、ＨＤとは、次世代の映像情報の規格であり、ハイビジョン・デジタルテレビ等と同等の高画質を可能とするものであり、従来のＳＤの画素数が７２０×４８０又は７２０×５７６等であるとき、ＨＤでは、１９２０×１０８０又は１９２０×１１５２等の画素数をもつものである。
【０００４】
これに関連して、特開２００２−１７０３６１号公報においては、ＨＤコンテンツとＳＤコンテンツとを記録する光ディスクを扱う光ディスク装置が記載されている。しかしながら、これらの異なる規格であるＨＤコンテンツとＳＤコンテンツとをどのように混乱することなく再生するのかを示す技術は全く開示されていない。
【０００５】
従って、新たにＨＤの映像コンテンツを記録したＤＶＤディスクや、そのＤＶＤを再生するプレーヤを製造したとしても、既存のＤＶＤプレーヤはＨＤの映像コンテンツを記録したＤＶＤディスクを想定していないため、誤動作を起こす可能性があり、たとえ誤動作しなかったとしても再生することなく終了してしまうという問題がある。
【０００６】
【発明が解決しようとする課題】
すなわち、従来のＤＶＤ及びこれを扱う光ディスク装置においては、ＨＤコンテンツとＳＤコンテンツとを併せて記録しているＤＶＤを、混乱することなく、従来の光ディスク装置又はＨＤコンテンツを想定した光ディスク装置で再生することができないという問題がある。
【０００７】
本発明は、ＨＤコンテンツとＳＤコンテンツとを記録するＤＶＤ等の光ディスクを、従来のＳＤコンテンツを再生する光ディスク装置又はＨＤコンテンツを想定した光ディスク装置で確実に処理することを目的とする。
【０００８】
【課題を解決するための手段】
本発明は上記課題を解決するべく、第１のビデオタイトルセットにＳＤ（Standard Definition）コンテンツが記録され、第２のビデオタイトルセットにＨＤ（High Definition）コンテンツが記録され、ビデオ管理情報であるプログラムチェーン・コマンドテーブル（ＰＧＣ＿ＣＭＤＴ）にプリコマンド（ＰＲＥ＿ＣＭＤ）とポストコマンド（ＰＯＳＴ＿ＣＭＤ）とが記録されている光ディスクを回転する回転部と、前記光ディスクにレーザ光を照射し反射光に応じて情報を読み取る読取部と、プレーヤを制御するためのビデオプレーヤ制御情報（Ｐ＿ＣＦＧ）が第１の値のとき前記ＳＤコンテンツ再生を示し、第２の値のとき前記ＨＤコンテンツ再生を示すプレーヤパラメータを記憶領域に格納する設定部と、前記設定部のプレーヤ構成情報を参照して、この値が第１の値の場合、前記プリコマンド又はポストコマンドに応じて、前記ＳＤコンテンツが含まれる第１のビデオタイトルセットへジャンプコマンドを実行し、前記プレーヤ構成情報が第２の値の場合、前記プリコマンド又はポストコマンドに応じて、前記ＨＤコンテンツが含まれる第２のビデオタイトルセットへジャンプコマンドを実行するべく前記読取部を制御する動作制御部と、前記動作制御部に応じて読み取った前記読取部からの情報について、ＳＤコンテンツかＨＤコンテンツかを識別して分離する分離部と、前記分離部により分離された前記ＳＤコンテンツ又は前記ＨＤコンテンツをデコードして出力するデコーダ部とを具備する光ディスク装置である。
【００１１】
【発明の実施の形態】
以下、図面を参照してこの発明の実施形態であるＤＶＤビデオディスク等の光ディスク、更にこれを扱う光ディスク装置を詳細に説明する。
【００１２】
＜本発明に係るＤＶＤ等の光ディスク＞
本発明に係るＤＶＤ等の光ディスクは、少なくとも、ＨＤ（High Definition）コンテンツとＳＤ（Standard Definition）コンテンツの二種類のビデオオブジェクトが記録されているもので、更に、どのような光ディスク装置でも確実に再生処理等が行えるように、例えば光ディスク装置のタイプを識別するための、コマンド情報等の制御情報が記録されているものである。図１は、本発明に係る光ディスクであるＨＤ−ＤＶＤビデオディスクの第１のデータ構造の一例を示す図、図２は、本発明の特徴を有しないＤＶＤビデオディスクのデータ構造の一例を示す図、図３は、本発明に係るＨＤ−ＤＶＤビデオディスクのファイル構成の一例を示す図、図４は、ＨＤ−ＤＶＤビデオディスクの第２のデータ構造の一例を示す図、図５は、ＨＤ−ＤＶＤビデオディスクの第２のファイル構成の一例を示す図、図６は、ＨＤ−ＤＶＤビデオディスクのビデオオブジェクトの一例を示す図である。
【００１３】
本発明に係るＤＶＤビデオディスクの記録エリアは、図１に示すように、内周から順にリードインエリア１１、ボリュームスペース、及びリードアウトエリア１５を含んでいる。ボリュームスペースは、ボリューム／ファイル構造情報エリア１２及びＤＶＤビデオエリア（ＤＶＤビデオゾーン）１３’を含み、更にオプションで他の記録エリア（ＤＶＤアザーゾーン）１４を含むことができるようになっている。ここで、本発明に係るＤＶＤビデオディスクのＤＶＤビデオエリア（ＤＶＤビデオゾーン）１３’は、ＳＤコンテンツとＨＤコンテンツとが記録されている。
【００１４】
ＳＤコンテンツとＨＤコンテンツはＶＴＳ単位で切り替えて記録することが可能であり、本実施形態においては、図１に示すとおり、ＶＴＳ＃１にＳＤコンテンツが記録され、ＶＴＳ＃２にＨＤコンテンツが記録されている。なお、これは、あくまでも一例であり、タイトルごとにＳＤコンテンツとＨＤコンテンツの構成は自由に決めることができる。
【００１５】
ボリューム／ファイル構造情報エリア１２は、ＵＤＦ（Universal Disk Format）ブリッジ構造のために割り当てられたエリアである。ＵＤＦブリッジフォーマットのボリュームは、ＩＳＯ／ＩＥＣ１３３４６のパート２に従って認識されるようになっている。このボリュームを認識するスペースは、連続したセクタからなり、図１及び図２のボリュームスペースの最初の論理セクタから始まる。その最初の１６論理セクタは、ＩＳＯ９６６０で規定されるシステム使用のために予約されている。既存のＤＶＤビデオ規格との互換性を確保するには、このような内容のボリューム／ファイル構造情報エリアが必要となる。
【００１６】
又、上記ＤＶＤビデオエリア１３’には、ビデオマネージャＶＭＧというビデオ管理情報２１と、ビデオタイトルセットＶＴＳ（ＶＴＳ＃１〜ＶＴＳ＃ｎ）２２〜２４というビデオコンテンツが１以上記録されている。ＶＭＧは、ＤＶＤビデオエリアに存在する全てのＶＴＳに対する管理情報であり、制御データＶＭＧＩ３１、ＶＭＧメニュ用ビデオオブジェクトＶＭＧＭ＿ＶＯＢＳ３２（オプション）、及びＶＭＧＩのバックアップデータ３３を含んでいる。
【００１７】
このビデオ管理情報２１には、後述する、このＤＶＤビデオディスクが装着される光ディスク装置のタイプを判別し、適切に再生位置へとジャンプさせる等の働きを定義する制御情報であるコマンド群等が、例えば、ビデオ管理情報２１の一部であるファーストプレイＰＧＣＩに記録される。すなわち、ＦＰ＿ＰＧＣＩにはプログラムチェーン・コマンドテーブル（ＰＧＣ＿ＣＭＤＴ）が含まれており、ＰＧＣ＿ＣＭＤＴには、プリコマンド（ＰＲＥ＿ＣＭＤ）やポストコマンド（ＰＯＳＴ＿ＣＭＤ）が記述されており、これらのコマンドにより、後に詳述される、ＳＤコンテンツとＨＤコンテンツとを確実に再生処理するための処理が行われる。
【００１８】
なお、本発明の特徴である制御情報であるコマンド群等は、必ずしもビデオ管理情報２１内になくともよく、他の領域でも、光ディスク装置が初めに読み出すことができれば同等の作用効果を有する。
【００１９】
又、各ＶＴＳは、そのＶＴＳの制御データＶＴＳＩ４１、ＶＴＳメニュ用ビデオオブジェクトＶＴＳＭ＿ＶＯＢＳ４２（オプション）、そのＶＴＳ（タイトル）の内容（映画等）のタイトル用ビデオオブジェクトＶＴＳＴＴ＿ＶＯＢＳ４３、及びＶＴＳＩのバックアップデータ４４を含んでいる。既存のＤＶＤビデオ規格との互換性を確保するには、このような内容のＤＶＤビデオエリアも必要となる。
【００２０】
同様に、本発明の特徴である、ＨＤコンテンツのためのビデオタイトルセット＃２・２４は、そのＶＴＳの制御データ＃２ＶＴＳＩ５１、ＶＴＳメニュ用ビデオオブジェクト＃２ＶＴＳＭ＿ＶＯＢＳ５２（オプション）、そのＶＴＳ（タイトル）の内容（映画等）のタイトル用ビデオオブジェクト＃２ＳＴＴ＿ＶＯＢＳ５３、及びＶＴＳＩのバックアップデータ５４を含んでいる。
【００２１】
各タイトル（ＶＴＳ＃１〜ＶＴＳ＃ｎ）の再生選択メニュ情報等がＶＭＧを用いてプロバイダ（ＤＶＤビデオディスクの制作者）により予め与えられ、特定タイトル（例えばＶＴＳ＃１）内での再生チャプタ選択メニュや記録内容（セル）の再生手順等は、ＶＴＳＩを用いてプロバイダにより予め与えられている。従って、ディスクの視聴者（ＤＶＤビデオプレーヤのユーザ）は、予めプロバイダにより用意されたＶＭＧ／ＶＴＳＩのメニュやＶＴＳＩ内の再生制御情報（プログラムチェーン情報ＰＧＣＩ）に従って、そのディスクｄの記録内容を楽しむことができる。なお、参考までに、本発明の特徴をもっていないＤＶＤビデオディスクの一例を図２に示しておく。
【００２２】
図３は、図１で示したＨＤ−ＤＶＤビデオディスクのファイル構成を示す。ＤＶＤビデオエリア、ＨＤ−ＤＶＤビデオエリアに関連するすべてのファイルはＶＩＤＥＯ＿ＴＳホルダの下に置かれている。すなわち、ＶＭＧが記録されたＶＩＤＥＯ＿ＴＳ．ＩＦＯ、ＶＭＧメニュのためのＶＯＢが記録されたＶＩＤＥＯ＿ＴＳ．ＶＯＢ、ＶＩＤＥＯ＿ＴＳ．ＩＦＯと同じ内容がバックアップとして記録されたＶＩＤＥＯ＿ＴＳ．ＢＵＰ、ＳＤコンテンツ用のＶＴＳＩが記録されたＶＴＳ＿０１＿０．ＩＦＯ、ＳＤコンテンツ用のＶＴＳメニュのためのＶＯＢが記録されたＶＴＳ＿０１＿０．ＶＯＢ、ＳＤコンテンツ用のＶＴＳのＶＯＢが記録されたＶＴＳ＿０１＿１．ＶＯＢ〜ＶＴＳ＿０１＿２．ＶＯＢ（本実施形態では二つのファイルから構成されているものとする）、ＶＴＳ＿０１＿０．ＩＦＯと同じ内容がバックアップとして記録されたＶＴＳ＿０１＿０．ＢＵＰが記録されている。
【００２３】
更に、ＨＤコンテンツ用のＶＴＳも同様に、ＨＤコンテンツ用のＶＴＳＩが記録されたＶＴＳ＿０２＿０．ＩＦＯ、ＨＤコンテンツ用のＶＴＳメニュのためのＶＯＢが記録されたＶＴＳ＿０２＿０．ＶＯＢ、ＨＤコンテンツ用のＶＴＳのＶＯＢが記録されたＶＴＳ＿０２＿１．ＶＯＢ〜ＶＴＳ＿０２＿２．ＶＯＢ（本実施形態では二つのファイルから構成されているものとする）、ＶＴＳ＿０２＿０．ＩＦＯと同じ内容がバックアップとして記録されたＶＴＳ＿０２＿０．ＢＵＰが記録されている。
【００２４】
（他の実施形態）
他の実施形態として、ＳＤコンテンツを含むＤＶＤビデオエリアと、ＨＤコンテンツを含むＨＤ−ＤＶＤビデオエリアをそれぞれ独立して記録した例を示す。
【００２５】
図４は、専用のＨＤ−ＤＶＤビデオエリア１６をもつＨＤ−ＤＶＤビデオディスクの他の一例である。このＨＤ−ＤＶＤビデオエリア１６には、ビデオマネージャＶＭＧというＨＤコンテンツ用のビデオ管理情報６１と、ビデオタイトルセットＶＴＳ（ＶＴＳ＃１〜ＶＴＳ＃ｎ）というＨＤコンテンツ用のビデオコンテンツ６２、６３が１以上記録されている。
【００２６】
ＶＭＧ６１は、ＨＤ−ＤＶＤビデオエリアに存在する全てのＶＴＳに対する管理情報であり、ＨＤコンテンツ用の制御データＶＭＧＩ７１、ＨＤコンテンツ用のＶＭＧメニュ用ビデオオブジェクトＶＭＧＭ＿ＶＯＢＳ７２（オプション）、及びＶＭＧＩのバックアップデータ７３を含んでいる。
【００２７】
又、各ＶＴＳ６３は、そのＶＴＳのＨＤコンテンツ用の制御データＶＴＳＩ８１、ＨＤコンテンツによるＶＴＳメニュ用ビデオオブジェクトＶＴＳＭ＿ＶＯＢＳ８２（オプション）、そのＶＴＳ（タイトル）の内容（映画等）のＨＤコンテンツによるタイトル用ビデオオブジェクトＶＴＳＴＴ＿ＶＯＢＳ８３、及びＶＴＳＩのバックアップデータ８４を含んでいる。
【００２８】
図５には、図４で示したＨＤ−ＤＶＤビデオディスクのファイル構成を示す。ＤＶＤビデオエリアに関連するファイルはＶＩＤＥＯ＿ＴＳホルダの下に置かれている。又、ＨＤ−ＤＶＤビデオエリアに関連するファイルは例えばＶＩＤＥＯ＿ＨＤホルダの下に置かれる。ここで、上述した制御情報であるコマンド群等は、ＶＩＤＥＯ＿ＴＳホルダのビデオマネジャ情報に格納されているが、これに限らなく、例えば、ＶＩＤＥＯ＿ＨＤホルダのビデオマネジャ情報であってもよい。
【００２９】
ＶＩＤＥＯ＿ＴＳホルダとＶＩＤＥＯ＿ＨＤホルダの下には、それぞれ、ＶＭＧが記録されたＶＩＤＥＯ＿ＴＳ．ＩＦＯ、ＶＭＧメニュのためのＶＯＢが記録されたＶＩＤＥＯ＿ＴＳ．ＶＯＢ、ＶＩＤＥＯ＿ＴＳ．ＩＦＯと同じ内容がバックアップとして記録されたＶＩＤＥＯ＿ＴＳ．ＢＵＰ、ＳＤコンテンツ用のＶＴＳＩが記録されたＶＴＳ＿０１＿０．ＩＦＯ、ＶＴＳメニュのためのＶＯＢが記録されたＶＴＳ＿０１＿０．ＶＯＢ、ＶＴＳのＶＯＢが記録されたＶＴＳ＿０１＿１．ＶＯＢ〜ＶＴＳ＿０１＿２．ＶＯＢ（本実施形態では二つのファイルから構成されているものとする）、ＶＴＳ＿０１＿０．ＩＦＯと同じ内容がバックアップとして記録されたＶＴＳ＿０１＿０．ＢＵＰが記録されている。
【００３０】
図６は、ビデオオブジェクト領域３２、４２、４３、５２、５３に１つ以上格納されるビデオオブジェクト（ＶＯＢ）９１を示す。ビデオオブジェクト９１は、再生最小単位である１つ以上のビデオオブジェクト・ユニット（ＶＯＢＵ）９２から構成される。ビデオオブジェクト・ユニット（ＶＯＢＵ）９２内は、その先頭に制御パック９３を有する複数の主映像パック９４と、選択可能な第１の音声パック９５及び第２の音声パック９５と、選択可能な第１の副映像パック９６及び第２の副映像パック９６で構成される。選択された音声パック９４及び副映像パック９６は、ビデオオブジェクト・ユニット（ＶＯＢＵ）９２内で主映像パック９４と同期再生される。
【００３１】
このように本発明に係るＤＶＤビデオディスクにおいては、ＳＤコンテンツとＨＤコンテンツとを格納する際に、制御情報である例えばコマンド情報等を伴って記録されるものである。これらのコマンド情報により、例えば、光ディスク装置のタイプを識別しこれに応じて適切な再生位置を指定することにより、光ディスク装置に応じた再生処理等を確実に行うことができる。従って、以下に詳述するように、ＳＤコンテンツのみを再生する光ディスク装置であっても、ＨＤコンテンツを想定した光ディスク装置であっても、確実な再生処理等を行うことができる。
【００３２】
＜本発明に係る光ディスク装置＞
次に本発明の特徴であるＨＤコンテンツを想定した光ディスク装置の一例を図面を用いて詳細に説明する。図７は、本発明に係るＨＤ−ＤＶＤビデオディスクを扱う光ディスク装置の構成の一例を示すブロック図、図８は、ＨＤ−ＤＶＤビデオディスクのＰ＿ＣＦＧの構成の一例を示す図、図９は、ＨＤ−ＤＶＤビデオディスクを扱う光ディスク装置の設定値の一例を示す図、図１０は、ＳＤ／ＨＤコンテンツの再生処理の一例を示すフローチャート、図１１は、ＳＤ／ＨＤコンテンツのメニュの再生処理の一例を示すフローチャート、図１２は、再生処理の概要の一例を示すフローチャート、図１３は、再生処理の一例を示すフローチャート、図１４は、ジャンプコマンドにより、従来の光ディスク装置がＨＤをジャンプする場合を示す説明図である。
【００３３】
本発明に係る光ディスク装置は、上述した本発明に係るＨＤコンテンツを記録したＤＶＤを想定したものであり、少なくとも、ＳＤコンテンツとＨＤコンテンツとの動作モードを選択的に設定し、これをプレーヤを制御するためのシステム・パラメータに反映させる。更に、ＤＶＤ中のＳＤコンテンツ領域とＨＤコンテンツ領域とを識別し、先の動作モードに応じてＳＤコンテンツとＨＤコンテンツの一方を選択的に再生するものである。以下、その構成を説明する。
【００３４】
本発明に係るＨＤコンテンツを記録したＤＶＤビデオディスクを想定した光ディスク装置は、図７に示すように、ディスク検出部１０１内のトレイに装着されたＤＶＤビデオディスクｄから、ディスク検出部１０１内のピックアップを介して読み出される。ここで、読み出された本発明に係るＤＶＤビデオディスクｄのデータ構造を有するデータ列は、データプロセッサ部１０２内で、エラー訂正処理後、トラックバッファへ一旦格納される。ＲＯＭ部１２０に格納されたプログラムに従い、ＭＰＵ部１０９によりプログラム解釈された指示により、トラックバッファ内に格納された制御データ領域３１及び４１、５１の管理情報は、メモリ部１１０へ格納し、再生制御、データ管理等に利用される。
【００３５】
又、トラックバッファ内に格納されたビデオオブジェクト領域３２、４２、４３、５２、５３の再生データは、分離部１０３へ転送され、図６で示される主映像パック９４は、映像デコーダ部１０４へ、音声パック９４は、音声デコーダ部１０６へ、副映像パック９６は、副映像デコーダ部１０５へと、パック毎に対応するデコーダ部へ送られ、デコード処理が行われる。なお、分離部１０３は、ＳＤ／ＨＤコンテンツの領域をそれぞれ識別するＳＤ／ＨＤ識別機能を有している。これは、上述した光ディスク装置の図１に示す、例えば、制御データ３１，４１，５１等、又は、ビデオ・オブジェクト３２，４２，４３，５２，５３等に記録される識別情報を読み出して領域を識別するものであり、再生処理の際に、領域を誤認識することなく確実な再生処理等を行うものである。
【００３６】
又、更に、映像デコーダ部１０４及び副映像デコーダ部１０５で各々処理されたデータは、映像プロセッサ部１０７において、主映像と副映像との重畳処理がなされ、Ｄ／Ａ変換部１０８を介して映像出力される。又、音声デコーダ部１０６でデコード処理された音声データは、Ｄ／Ａ変換部１０８を介して音声出力される。キー入力部１１９は、ユーザからの指示入力を受け取り、ＭＰＵ部１０９へ伝達する。ＭＰＵ部１０９では、伝達された指示に従い、ＤＶＤビデオディスクｄから読み出すデータを決定し、上述したプロセスによって、データを再生する。
【００３７】
（Ｐ＿ＣＦＧに就いて）
ＤＶＤビデオディスクｄの規格には、プロバイダがナビゲーションコマンドを用いて、プレーヤを制御するためのシステム・パラメータ（ＳＰＲＭ）が存在する。ＳＰＲＭは固定長の２バイト数値をもち、各パラメータは１６ビットの無符号整数として扱われ、プレーヤ２４個のＳＰＲＭ（ＳＰＲＭ（０）〜ＳＰＲＭ（２３））をもつ。このうち、ＳＰＲＭ（１１）〜ＳＰＲＭ（２０）はプレーヤ・パラメータと呼ばれ、プレーヤに対して設定される値である。特にＳＰＲＭ（１４）はビデオ用プレーヤ構成（Ｐ＿ＣＦＧ）と呼ばれ、図８に示すように、ユーザの選択した表示アスペクト比を示すイニシャル・ディスプレイ・アクペクト比（Initial Display Aspect Ratio）、現ドメインのプレーヤの現在のビデオ出力モードを示す現在ディスプレイ・モード（Current Display Mode）から構成される。
【００３８】
更に、ＨＤ−ＤＶＤビデオディスクでは、従来のＰ＿ＣＦＧを拡張し、図８に示すように、プレーヤの表示モードを指定するＰ＿ＣＦＧ＿ＨＤを設ける。このパラメータは、
0003668213.tif 000002
で定義され、ＳＤコンテンツとＨＤコンテンツの再生の判別に用いられるものであり、一例として、図７のメモリ部１１０に格納させることができる。
【００３９】
図９に、（１）ＳＤ−ＤＶＤビデオ対応プレーヤと、（２）ＨＤ−ＤＶＤビデオ対応プレーヤとにおける、Ｐ＿ＣＦＧ＿ＨＤの値を示す。（１）のＳＤ−ＤＶＤビデオ対応プレーヤは、ＤＶＤビデオ規格に則っており、この値は予約領域として０ｂが設定されている。又、（２）のＨＤ−ＤＶＤビデオ対応プレーヤは、ＳＤコンテンツとＨＤコンテンツの再生切替機能を有し、その値が０ｂに設定されていれば、ＤＶＤビデオディスク、又はＨＤ−ＤＶＤビデオディスクにおけるＳＤコンテンツを再生する。その値が１ｂに設定されていれば、ＨＤ−ＤＶＤビデオディスクにおけるＨＤコンテンツを再生する。この値の切替方法として、例えば、プレーヤの持つ機能設定メニュによってユーザが選択することも可能であり、又は、プレーヤが自動的に値を設定することも可能である。
【００４０】
すなわち、ユーザは、ＨＤコンテンツを優先して再生させたい場合は、キー入力部１１９を介して機能設定メニュでの動作モードをＨＤコンテンツ再生とすることで、このビデオ用プレーヤ構成（Ｐ＿ＣＦＧ＿ＨＤ）を、“１ｂ”と設定することが可能である。
【００４１】
（再生処理動作）
図１０には図１で示したようなＳＤコンテンツとＨＤコンテンツが記録されたＨＤ−ＤＶＤビデオディスクをＤＶＤプレーヤに挿入したとき、ＳＤコンテンツ又はＨＤコンテンツのタイトルが再生されるときの例をフローチャートで示す。
【００４２】
図１０のフローチャートにおいて、ディスクが挿入されると（Ｓ１１）、ＤＶＤプレーヤはビデオ管理情報２１の一部であるファーストプレイＰＧＣＩ（ＦＰ＿ＰＧＣＩ）を取得する（Ｓ１２）。ＦＰ＿ＰＧＣＩにはプログラムチェーン・コマンドテーブル（ＰＧＣ＿ＣＭＤＴ）が含まれており、ＰＧＣ＿ＣＭＤＴには、プリコマンド（ＰＲＥ＿ＣＭＤ）やポストコマンド（ＰＯＳＴ＿ＣＭＤ）が記述される。
【００４３】
例えば、このプリ・ポストコマンドとして、プレーヤの構成情報の一部であるＰ＿ＣＦＧ＿ＨＤを参照し、比較コマンドを実行する（Ｓ１３）。ＰＣ＿ＣＦＧ＿ＨＤ＝０ｂの場合（Ｓ１４）、ジャンプコマンド（ＪｕｍｐＴＴ）を実行し、ＳＤコンテンツが含まれるＶＴＳ＃１に属するタイトルにジャンプする（Ｓ１５）。一方、ＰＣ＿ＣＦＧ＿ＨＦ＝１ｂの場合（Ｓ１４）、ジャンプコマンド（ＪｕｍｐＴＴ）を実行し、ＨＤコンテンツが含まれるＶＴＳ＃２に属するタイトルにジャンプする（Ｓ１８）。以上のようなコマンド群をＦＰ＿ＰＧＣＩに記述しておく。
【００４４】
このＨＤ−ＤＶＤビデオディスクをＳＤコンテンツの再生のみを想定したＤＶＤプレーヤに挿入した場合、プレーヤの構成情報の一部であるＰＣ＿ＣＦＧ＿ＨＤの値は予約領域を表す０ｂが設定されている。このため、ＤＶＤプレーヤは、ＦＰ＿ＰＧＣＩの記述に従って、ジャンプコマンド（ＪｕｍｐＴＴ）を実行し、ＳＤコンテンツが含まれるＶＴＳ＃１のタイトルの再生を行う（Ｓ１９，Ｓ２０）。
【００４５】
このＨＤ−ＤＶＤビデオディスクをＨＤ−ＤＶＤビデオ対応プレーヤに挿入した場合、プレーヤの構成情報の一部であるＰＣ＿ＣＦＧ＿ＨＤの値は、ＳＤコンテンツを再生する０ｂ、又はＨＤコンテンツを再生する１ｂのいずれかに設定されている。ＰＣ＿ＣＦＧ＿ＨＤ＝０ｂに設定されていた場合（Ｓ１４）、ジャンプコマンド（ＪｕｍｐＴＴ）を実行し、ＳＤコンテンツが含まれるＶＴＳ＃１のタイトルの再生を行う（Ｓ１９、Ｓ２０）。もし、ＰＣ＿ＣＦＧ＿ＨＦ＝１ｂの場合（Ｓ１４）、ジャンプコマンド（ＪｕｍｐＴＴ）を実行し、ＨＤコンテンツが含まれるＶＴＳ＃２のタイトルの再生を行う（Ｓ１６、Ｓ１７）。又、このとき、分離部１０３がもつＳＤ／ＨＤ識別機能の領域識別結果を用いて、確実なＳＤ／ＨＤコンテンツの再生が行われる。
【００４６】
このように、予め、ＨＤ−ＤＶＤビデオディスクの図１の、例えば、ビデオ管理情報２１のファーストプレイＰＧＣＩ（ＦＰ＿ＰＧＣＩ）に上記のような識別コマンドとＨＤコンテンツ及びＳＤコンテンツのタイトルの実行のコマンドを記録しておくことで、ＳＤコンテンツのみを想定した光ディスク装置とＨＤコンテンツを想定した光ディスク装置との両方に対して、円滑に再生処理を行うことができる。
【００４７】
更に、ＳＤコンテンツ又はＨＤコンテンツのＶＴＳメニュを実行する場合を、図１１のフローチャートを用いて説明する。図１１は、図１で示したＳＤコンテンツとＨＤコンテンツが記録されたＨＤ−ＤＶＤビデオディスクをＤＶＤプレーヤに挿入したとき、ＳＤコンテンツ又はＨＤコンテンツのメニュが再生されるときの動作を示すフローチャートである。
【００４８】
図１１のフローチャートにおいて、ディスクが挿入されると（Ｓ４１）、ＤＶＤプレーヤはビデオ管理情報２１の一部であるファーストプレイＰＧＣＩ（ＦＰ＿ＰＧＣＩ）を取得する（Ｓ４２）。ＦＰ＿ＰＧＣＩにはプログラムチェーン・コマンドテーブル（ＰＧＣ＿ＣＭＤＴ）が含まれており、ＰＧＣ＿ＣＭＤＴには、プリコマンド（ＰＲＥ＿ＣＭＤ）やポストコマンド（ＰＯＳＴ＿ＣＭＤ）が記述される。
【００４９】
例えば、このプリ・ポストコマンドとして、プレーヤの構成情報の一部であるＰ＿ＣＦＧ＿ＨＤを参照し、比較コマンドを実行する（Ｓ４３）。ＰＣ＿ＣＦＧ＿ＨＤ＝０ｂの場合（Ｓ４４）、ジャンプコマンド（ＪｕｍｐＳＳ）を実行し（Ｓ４５）、ＶＴＳ＃１に属するＳＤコンテンツ用のメニュのエントリＰＧＣの実行を開始する（Ｓ４６）。一方、ＰＣ＿ＣＦＧ＿ＨＦ＝１ｂの場合（Ｓ４４）、ジャンプコマンド（ＪｕｍｐＳＳ）を実行し（Ｓ４５）、ＶＴＳ＃２に属するＨＤコンテンツ用のメニュのエントリＰＧＣの実行を開始し（Ｓ４６）、これによりＨＤコンテンツ用のメニュが再生される（Ｓ４７）。以上のようなコマンド群をＦＰ＿ＰＧＣＩに記述しておく。
【００５０】
このＨＤ−ＤＶＤビデオディスクをＳＤコンテンツのみを想定したＤＶＤプレーヤに挿入した場合（Ｓ４１）、プレーヤの構成情報の一部であるＰＣ＿ＣＦＧ＿ＨＤの値は、予約領域を表す０ｂが設定されている。このため、ＤＶＤプレーヤは、ＦＰ＿ＰＧＣＩの記述に従って、ジャンプコマンド（ＪｕｍｐＳＳ）を実行し（Ｓ４８）、ＶＴＳ＃１に属するＳＤコンテンツ用のメニュのエントリＰＧＣの実行を行い（Ｓ４９）、ＳＤコンテンツのメニュ用ビデオオブジェクトの再生を行う（Ｓ５０）。又、このとき、分離部１０３がもつＳＤ／ＨＤ識別機能の領域識別結果を用いて、確実なＳＤコンテンツの再生が行われる。
【００５１】
このＨＤ−ＤＶＤビデオディスクをＨＤ−ＤＶＤビデオ対応プレーヤに挿入した場合、プレーヤの構成情報の一部であるＰＣ＿ＣＦＧ＿ＨＤの値は、ＳＤコンテンツを再生する０ｂ、又はＨＤコンテンツを再生する１ｂのいずれかに設定されている。ＰＣ＿ＣＦＧ＿ＨＤ＝０ｂに設定されていた場合（Ｓ４４）、ジャンプコマンド（ＪｕｍｐＳＳ）を実行し（Ｓ４８）、ＶＴＳ＃１に属するＳＤコンテンツ用のメニュのエントリＰＧＣの実行を行い（Ｓ４９）、ＳＤコンテンツのメニュ用ビデオオブジェクトの再生を行う（Ｓ５０）。もし、ＰＣ＿ＣＦＧ＿ＨＦ＝１ｂの場合（Ｓ４４）、ジャンプコマンド（ＪｕｍｐＳＳ）を実行し（Ｓ４５）、ＶＴＳ＃２に属するＨＤコンテンツ用のメニュのエントリＰＧＣの実行を行い（Ｓ４６）、ＨＤコンテンツのメニュ用ビデオオブジェクトの再生を行う（Ｓ４７）。又、このとき、分離部１０３がもつＳＤ／ＨＤ識別機能の領域識別結果を用いて、確実なＨＤコンテンツの再生が行われる。
【００５２】
以上のように、ＨＤコンテンツを想定した光ディスク装置においては、その内部に設けられるプレーヤ構成情報（Ｐ＿ＣＦＧ＿ＨＤ）を拡張することで、更に、ＨＤ−ＤＶＤビデオディスクにおいては、予め、例えば、ビデオ管理情報２１のファーストプレイＰＧＣＩ（ＦＰ＿ＰＧＣＩ）に上記のようなコマンド群を記録しておくことで、ＳＤコンテンツのみを想定した光ディスク装置とＨＤコンテンツを想定した光ディスク装置との両方に対して、円滑に再生処理を行うことができる。
【００５３】
（再生不可能メッセージ表示）
更に、図１２のフローチャートに示すように、ＨＤコンテンツのみで構成されるＨＤ−ＤＶＤビデオディスクにおいて、ＳＤコンテンツのみしか再生できない光ディスク装置では、以下の断りメッセージを表示させることも可能である。すなわち、ＨＤコンテンツのみのＨＤ−ＤＶＤビデオディスクの作成の際に、「このディスクは、このＤＶＤプレーヤでは再生できません。」等のお断りメッセージをＳＤコンテンツで作成し、前述のＨＤコンテンツとともに、ＨＤ−ＤＶＤビデオディスクに記録しておくものである。
【００５４】
これにより、図１２のフローチャートにおいて、ＨＤ−ＤＶＤディスクを挿入した際に（Ｓ５１）、このディスクをＳＤコンテンツのみを想定した従来のプレーヤで再生した場合（Ｓ５２）、ディスクがこのプレーヤに対応していない旨がメッセージとして表示させた上で（Ｓ５４）、動作を停止することが好適である（Ｓ５５）。一方、ＨＤ−ＤＶＤディスクが、ＨＤ−ＤＶＤビデオ対応プレーヤで再生された場合（Ｓ５２）、ＨＤコンテンツが再生される（Ｓ５３）。
【００５５】
これにより、ＨＤ−ＤＶＤディスクがＳＤコンテンツ専用の光ディスク装置に装着されて再生できない場合、ユーザが光ディスク装置が故障ではないか等の混乱を生じることがない。
【００５６】
（ホルダ分離型のＤＶＤの再生処理）
次に、図５に示すＳＤコンテンツとＨＤコンテンツとが異なるホルダに分離して記録されているＤＶＤの再生処理について、図１３のフローチャートを用いて説明する。図１３には、図４で示したＳＤコンテンツとＨＤコンテンツが記録されたＨＤ−ＤＶＤビデオディスクをＤＶＤプレーヤに挿入したとき、ＳＤコンテンツ又はＨＤコンテンツのファースト・プレイＰＧＣが再生される動作の例をフローチャートで示す。
【００５７】
図１３のフローチャートにおいて、ディスクを挿入したとき（Ｓ７１）、ＳＤコンテンツのみを想定した従来のＤＶＤプレーヤの場合（Ｓ７２）、プレーヤの構成情報の一部であるＰＣ＿ＣＦＧ＿ＨＤの値は予約領域を表す０ｂが設定されている。このため、ＤＶＤプレーヤはＳＤコンテンツが記録されているディレクトリ（ＶＩＤＥＯ＿ＴＳ）の下のＶＩＤＥＯ＿ＴＳ．ＩＦＯを読み込み（Ｓ７７）、その管理情報内のファースト・プレイＰＧＣＩに従って（Ｓ７８）、ＳＤコンテンツの再生を行う（Ｓ７９）。
【００５８】
一方、ＨＤ−ＤＶＤビデオ対応プレーヤの場合、プレーヤの構成情報の一部であるＰＣ＿ＣＦＧ＿ＨＤの値は、ＳＤコンテンツを再生する０ｂ、又はＨＤコンテンツを再生する１ｂのいずれかに設定されている。ＰＣ＿ＣＦＧ＿ＨＤ＝０ｂに設定されていた場合（Ｓ７２）、プレーヤはＳＤコンテンツが記録されているディレクトリ（ＶＩＤＥＯ＿ＴＳ）の下のＶＩＤＥＯ＿ＴＳ．ＩＦＯを読み込み、その管理情報内のファースト・プレイＰＧＣＩに従ってＳＤコンテンツの再生を行う。
【００５９】
ＰＣ＿ＣＦＧ＿ＨＤ＝１ｂに設定されていた場合（Ｓ７２）、プレーヤはＨＤコンテンツが記録されているファイルが存在するディレクトリ（ＶＩＤＥＯ＿ＨＤ）がディスクに存在するかどうかを検索する（Ｓ７３）。このとき、ＨＤコンテンツが記録されているファイルがあるディレクトリ（ＶＩＤＥＯ＿ＨＤ）が存在しない場合（Ｓ７３）、このディスクはＳＤコンテンツのみ記録されているＤＶＤビデオディスクであるため、プレーヤはＳＤコンテンツが記録されているディレクトリ（ＶＩＤＥＯ＿ＴＳ）の下のＶＩＤＥＯ＿ＴＳ．ＩＦＯを読み込み（Ｓ７７）、その管理情報内のファースト・プレイＰＧＣＩに従って（Ｓ７８）、ＳＤコンテンツの再生を行う（Ｓ７９）。
【００６０】
もし、ＨＤコンテンツが記録されているファイルがあるディレクトリ（ＶＩＤＥＯ＿ＨＤ）が存在する場合（Ｓ７３）、このディスクはＨＤ−ＤＶＤビデオディスクであり、プレーヤはＨＤコンテンツが記録されているディレクトリ（ＶＩＤＥＯ＿ＨＤ）の下のＶＩＤＥＯ＿ＴＳ．ＩＦＯを読み込み（Ｓ７４）、その管理情報内のファースト・プレイＰＧＣＩに従って（Ｓ７５）、ＨＤコンテンツの再生を行う（Ｓ７６）。
【００６１】
このように、本発明に係るＤＶＤビデオディスクが異なるホルダによりＳＤコンテンツとＨＤコンテンツとがそれぞれ記録される図５に示す形態の場合、上記した手順により、各ホルダにそれぞれアクセスされて再生されることとなる。
【００６２】
（ジャンプによるＨＤコンテンツ等の回避）
又、更に、本発明に係るＤＶＤビデオディスクの制御データ３１，４１，５１の領域に、上述したプレーヤの構成情報等を解釈するコマンドに併せて、ＨＤコンテンツを図１４に示すようにジャンプしてジャンプコマンドを記録させることで、ＳＤコンテンツのみを想定した光ディスク装置、又は、ＳＤコンテンツのみを再生する動作モードが設定されているＨＤコンテンツを扱うこともできる光ディスク装置については、誤って、ＨＤコンテンツを再生させることがなくなるものである。
【００６３】
又、更に、ＨＤコンテンツのジャンプだけに限らず、本発明に係るＤＶＤビデオディスクの制御データ３１，４１，５１の領域に、プレーヤの構成情報等を解釈するコマンドに併せて、ＳＤコンテンツのジャンプを行うジャンプコマンドを記録させることも好適である。これにより、ＨＤコンテンツのみを再生する光ディスク装置又はＨＤコンテンツのみを再生するべく動作モードが設定されている光ディスク装置において、ＳＤコンテンツをジャンプして回避することで、誤ってＳＤコンテンツを再生してしまい誤動作を起こすという不具合を解消することができるため、動作安定性に優れた光ディスク装置を提供することができる。
【００６４】
以上、本発明に係るＤＶＤビデオディスク等の光ディスク及び光ディスク装置によれば、ＳＤコンテンツとＨＤコンテンツとを併せもった光ディスクについて、制御情報に記録されたコマンド等により、ＳＤ専用の光ディスク装置に読ませると光ディスク装置のタイプを検出してこれに応じたＳＤメニュやタイトルへジャンプする又は適切なメッセージを表示することにより、誤動作を起こすことなく適宜処理することができる。更に、ＨＤコンテンツを想定した光ディスク装置においても、設定した動作モードに応じて、ＳＤコンテンツ又はＨＤコンテンツのメニュやタイトルへと転送することで、適切に再生処理を行うことが可能となる。
【００６５】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００６６】
【発明の効果】
以上詳述したように本発明によれば、ＳＤコンテンツとＨＤコンテンツとの両方を記録したＤＶＤ等の光ディスクについて、所定領域に記録されたコマンド等の制御情報に基づき、ＳＤコンテンツしか再生できない光ディスク装置、又は、ＳＤコンテンツとＨＤコンテンツとの両方を再生する光ディスク装置の双方において、適切な再生処理を可能とするものである。
【図面の簡単な説明】
【図１】本発明に係る光ディスクであるＨＤ−ＤＶＤビデオディスクの第１のデータ構造の一例を示す図。
【図２】本発明の特徴を有しないＤＶＤビデオディスクのデータ構造の一例を示す図。
【図３】本発明に係る光ディスクであるＨＤ−ＤＶＤビデオディスクのファイル構成の一例を示す図。
【図４】本発明に係る光ディスクであるＨＤ−ＤＶＤビデオディスクの第２のデータ構造の一例を示す図。
【図５】本発明に係る光ディスクであるＨＤ−ＤＶＤビデオディスクの第２のファイル構成の一例を示す図。
【図６】本発明に係る光ディスクであるＨＤ−ＤＶＤビデオディスクのビデオオブジェクトの一例を示す図。
【図７】本発明に係る光ディスクであるＨＤ−ＤＶＤビデオディスクを扱う光ディスク装置の構成の一例を示すブロック図。
【図８】本発明に係る光ディスクであるＨＤ−ＤＶＤビデオディスクのＰ＿ＣＦＧの構成の一例を示す図。
【図９】本発明に係る光ディスクであるＨＤ−ＤＶＤビデオディスクを扱う光ディスク装置の設定値の一例を示す図。
【図１０】本発明に係る光ディスク装置のＳＤ／ＨＤコンテンツの再生処理の一例を示すフローチャート。
【図１１】本発明に係る光ディスク装置のＳＤ／ＨＤコンテンツのメニュの再生処理の一例を示すフローチャート。
【図１２】本発明に係る光ディスク装置の再生処理の概要の一例を示すフローチャート。
【図１３】本発明に係る光ディスク装置の再生処理の一例を示すフローチャート。
【図１４】本発明に係る光ディスクであるＨＤ−ＤＶＤビデオディスクのジャンプコマンドにより、従来の光ディスク装置がＨＤをジャンプする場合を示す説明図。
【符号の説明】
ｄ…ＨＤ−ＤＶＤビデオディスク、１１…リードインエリア、１２…ボリューム／ファイル構造情報エリア、１３…ＤＶＤビデオエリア＋ＨＤ−ＤＶＤビデオエリア、１４…他の記録エリア、１５…リードアウトエリア、５１…制御データ、５２…ＨＤコンテンツ・メニュ用ビデオオブジェクト＃２、５３…タイトル用ビデオオブジェクト＃２、５４…制御データバックアップ＃２。
【図１】
0003668213.tif 000003
【図２】
0003668213.tif 000004
【図３】
0003668213.tif 000005
【図４】
0003668213.tif 000006
【図５】
0003668213.tif 000007
【図６】
0003668213.tif 000008
【図７】
0003668213.tif 000009
【図８】
0003668213.tif 000010
【図９】
0003668213.tif 000011
【図１０】
0003668213.tif 000012
【図１１】
0003668213.tif 000013
【図１２】
0003668213.tif 000014
【図１３】
0003668213.tif 000015
【図１４】
0003668213.tif 000016